(57)【要約】【課題】建屋内の空気流通を適宜調整すると共に、太陽エネルギーを有効に活用することにより、建屋内の温度や湿度を適正に保ち、貯蔵物質の保存性を良好に維持するために、屋根部を特別に加工することなく、非常にシンプルなシステムで、制御系も大幅に単純化し、ダクト、ダンパーも従来に比べて少なくすることができ、その結果、工事費も低減し、メンテナンスも少なく、コストパフォーマンスも改善できる。【解決手段】貯蔵庫１等の建屋を断熱・気密性を有する天井パネル22で外気に通じる小屋裏スペース23と室内側とに区画し、室内側からの第１の空気流路31と小屋裏スペース23を介する外気側からの第２の空気流路32とが熱交換されるべく仕切形成された熱交換パネル33を前記天井パネル22に一体的に組込んだ。【選択図】        図１
2004196522.tif 000002
【特許請求の範囲】
【請求項１】
建屋を断熱・気密性を有する天井パネルで外気に通じる小屋裏スペースと室内側とに区画し、室内側からの第１の空気流路と小屋裏スペースを介する外気側からの第２の空気流路とが熱交換されるべく仕切形成された熱交換パネルを前記天井パネルに一体的に組込んだことを特徴とする揮発性有機物質の貯蔵または取扱い作業用建物。
【請求項２】
小屋裏スペースは軒先外気取入口を有し、天井パネル端はその内側で鉄筋コンクリート壁に摺動自在に接合する請求項１記載の揮発性有機物質の貯蔵または取扱い作業用建物。
【請求項３】
天井パネルは、軽量鉄骨天井下地に石膏ボードを張り、目地テープでシールして気密化し、また、これにグラスウールボードを貼合させて断熱性を高めた請求項１または請求項２記載の揮発性有機物質の貯蔵または取扱い作業用建物。
【請求項４】
熱交換パネルは、天井パネルに熱交換用仕切板としての折板を配設し、この折板と天井パネルとで囲まれた部分を第１の空気流路とし、その端部に入口チャンバー、出口チャンバーを形成する請求項１ないし請求項３のいずれかに記載の揮発性有機物質の貯蔵または取扱い作業用建物。
【請求項５】
天井パネルは天井下地を介して屋根部より吊りボルトで吊り支承し、この天井パネルの端部はコンクリート躯体に摺動自在に接合させる請求項１ないし請求項４のいずれかに記載の揮発性有機物質の貯蔵または取扱い作業用建物。
【請求項６】
熱交換パネルの出口チャンバーは循環軸流ファンおよびダンパーを有するチャンバーに接続する請求項１ないし請求項５のいずれかに記載の揮発性有機物質の貯蔵または取扱い作業用建物。
【請求項７】
小屋裏スペースに設備設置空間を確保し、ここに第２の空気流路からの小屋裏排気ダクトと室内に開口する室内空気強制排気口からのダクトを接続する切替ダンパーボックスおよび小屋裏排気ファンを設ける請求項１ないし請求項６のいずれかに記載の揮発性有機物質の貯蔵または取扱い作業用建物。
【請求項８】
建屋を断熱・気密性を有する天井パネルで外気に通じる小屋裏スペースと室内側とに区画し、該天井パネルに熱交換パネルを一体的に組み込み、室内側からの第１の空気流路と小屋裏スペースを介する外気側からの第２の空気流路とを熱交換させることを特徴とする揮発性有機物質の貯蔵または取扱い作業用建物の温度・湿度の制御方法。
【発明の詳細な説明】
【０００１】
【発明の属する技術分野】
本発明は、内部をなるべく気密に保ち、かつ、温度変化を受けにくく、また、湿度コントロールがし易くした揮発性有機物質の貯蔵または取扱い作業用建物およびその温度・湿度の制御方法に関する。
【０００２】
【従来の技術】
貯蔵するまたは取扱う揮発性有機物質の保存性を良好に維持するため、建屋内の温度や湿度を適正に保つことのできる建屋状の揮発性有機物質の貯蔵または取扱い作業所及びその内部環境調節方法として、出願人等は先に、図23に示すような発明をし、これを特願２０００−３５４７２７号として出願した。
【０００３】
この特願２０００−３５４７２７号の発明は、酒類、食酢、醤油、化学物質、薬品、印刷用インク、その他種々の液体を貯蔵または取り扱うのに適した建物に関し、特に、これらの液体を長期間保存している間に発生するアルコール等の揮発性有機物質を除去又は低減し、或いはその濃度を調整することにより、液体の保存性を維持すると共に、揮発性有機物質の拡散防止による庫内外の作業環境の改善等を図るようにしたものである。
【０００４】
例えば、アルコール類の製造や、使用やあるいは貯蔵の際には、アルコールの蒸気が発生するが、このようなアルコールの蒸気を含む空気をそのまま系外に排出すれば、有機資源としてはアルコールが減少し、不経済であるばかりでなく、建屋内のアルコール濃度が増加すれば、作業環境としても好ましくない。
【０００５】
アルコール等の揮発性有機物質の周囲への蒸散を防止するために、アルコールを含有する空気からアルコールを除去する方法やアルコールを回収する方法が特開昭５４−１２６６７０号公報や特開平４−１０３６９号公報などに提案されているが、このような化学的処理をともなう方法では装置が大掛かりなものとなり、また、大量の処理を行うには効率の悪いものである。
【０００６】
前記特願２０００−３５４７２７号の貯蔵または取扱い作業所65の建屋は平面的に見て略長方形で、長手方向に比較的長い形態であり、長手方向に延びた平行な前後の壁11，12と、図示は省略する両端の側壁と、屋根部５とからなる。
【０００７】
この貯蔵または取扱い作業所65は屋根部５の屋根面の直下に気密断熱天井２で下面を区画した空気流路３を形成し、この空気流路３の一端に空気取入口４を設け他端を空気切換制御部を有するダクトスペース６に連通して遮熱用空気流路系を設けることで屋根部５下の収容スペース10が外部の影響を受けないようにすること、および、太陽熱を受ける面に放射冷却板７を通過する集熱・放射用ダクトを配置してここで熱交換を行わせるようにした。
【０００８】
さらに、室内循環用ダクトとして室内の収容スペース10の最上部に空気放出・吸入口９ａを有するダクト９と、室内の収容スペース10の最下部に空気放出・吸入口８ａ有するダクト８とが設け、これらのダクト８，９の他端をダクトスペース６内へ延設し、また、ダクトスペース６内に吸入口13ａを有するダクト13を設け、前記ダクトスペース６のボックスに空気放出口14を設けるとともに、このダクトスペース６内に設けた空気切換制御部は、前記遮熱用空気流路系、室内循環用ダクト系及び集熱・放射用ダクト系の各空気流路を適宜に連通又は切換えるダンパーと、ファンとを具備し、温度条件や気象条件等によりこれらのファン及びダンパーの制御・切換を行うようにした。
【０００９】
停止モードは、例えば、室内の温度条件が理想的な状態であり、何ら強制的な空気制御を必要としない場合である。この状態では、全てのファンが停止され、且つすべての空気切換ダンパーがＯＦＦにあり、したがってすべての空気流路及びダクトでは強制的な空気流通や制御は行われない。
【００１０】
加温（冬集熱）モードは、例えば、冬場の日中のように、室内の温度が低い反面、太陽の輻射熱によって放射冷却板７の温度が比較的温かく、その熱を利用して室内の温度を上昇させる場合がある。そのために、このモードでは、室内の空気は最上段の空気放出・吸入口９ａからダクト９に吸入され、ダクトスペース６内の空気切換制御部を通過し、放射冷却板７により加温され、温かくなった空気がダクト８に送られ、最下段の空気放出・吸入口８ａから室内に放出される。これにより、集熱パネルとして作用する放射冷却板７によって加温された空気によって室内の収容スペース10が加温される。
【００１１】
強制循環モードは、例えば、冬場の夜間のように室内は温度不足の状態で且つ放射冷却板７の温度が低く集熱不能の場合、逆に室内は温度超過の状態であるが、外気温度が室内温度を越え、放射冷却板７による冷却が不能の場合、あるいは室内温度は充足しているが、室内の上下に温度差がある場合である。このモードでは、室内の空気は最下段の空気放出・吸入口８ａからダクト８に吸入され、ダクトスペース６内のダンパーを通過してダクト９に送られ、最上段の空気放出・吸入口９ａから室内に放出される。これにより、室内の空気が強制循環されて室内の上下温度差が減少し、室内は全体として均一な温度状熊となる。
【００１２】
排気モードは、例えば、夏場の日中のように、室内は温度超過の状態で且つ放射冷却板７による冷却が不能の状態である。このモードでは室内の空気は最下段の空気放出・吸入口８ａからダクト８に吸入され、ダクト９に送られ、最上段の空気放出・吸入口９ａから室内に放出され、室内で空気を強制循環されると共に、ダクトスペース６内の空気が空気吸入口13ａからダクト８に流入し、ファンにより放射冷却板７に送られ、空気放出口14から室外へ排出される。ダクトスペース６内へは、空気取入口４から取り入れた空気が空気流路３を通過して流入し、また軒下の空気取入口15からも流入する。
【００１３】
放射冷却モードは、例えば、夏場の夜間のように、室内温度が超過の状態で且つ外気温度が室内温度以下であって放射冷却板７による冷却が可能な場合である。この状態では夜間の冷気を室内に取り込んで、室内の温度を低減させる。そのために、このモードでは、室内の空気は最上段の空気放出・吸入口９ａからダクト９に吸入され、ダクト・スペース６内の空気切換ダンパーを通過し、ファンにより放射冷却板７に送られ、ここで放射冷却が行われた後、ダクト８に送られ、室内の最下段の空気放出・吸入口８ａから室内に冷気が放出され、室内の収容スペース10の低温化が図られ、且つ除湿される。
【００１４】
緊急放出モードは、例えば、室内において揮発性有機物質が漏洩した場合に、安全性を図る上で、室内の空気を緊急に強制排気する。室内の空気は最下段の空気放出・吸入口８ａからダクト８に吸入され、ダンパー及びファンを通過して空気放出口14から建屋外へ排出される。したがって、室内の揮発性有機物質の濃度が異常に高くなるのが事前に防止される。
【００１５】
【発明が解決しようとする課題】
しかし、前記特願２０００−３５４７２７号の貯蔵または取扱い作業所65では屋根部５の構成が遮熱用空気流路系と放射冷却板を設ける熱交換系の部分に分けるなど複雑となり、それに応じてダクトが複雑に配置されるものとなる。
【００１６】
本発明の目的は、室内の空気流通を適宜調整するとともに、室内の温度を適正に保ち、貯蔵物質の保存性を良好に維持するために、屋根部を特別に加工することなく、非常にシンプルなシステムで、制御系も大幅に単純化し、ダクト、ダンパーも従来に比べて少なくすることができ、その結果、工事費も低減し、メンテナンスも少なく、コストパフォーマンスも改善できる揮発性有機物質の貯蔵または取扱い作業用建物およびその温度・湿度の制御方法を提供することにある。
【００１７】
【課題を解決するための手段】
本発明によれば、揮発性有機物質の貯蔵または取扱い作業用建物としては、第１に、建屋を断熱・気密性を有する天井パネルで外気に通じる小屋裏スペースと室内側とに区画し、室内側からの第１の空気流路と小屋裏スペースを介する外気側からの第２の空気流路とが熱交換されるべく仕切形成された熱交換パネルを前記天井パネルに一体的に組込んだこと、第２に、小屋裏スペースは軒先外気取入口を有し、天井パネル端はその内側で鉄筋コンクリート壁に摺動自在に接合することを要旨とするものである。
【００１８】
第３に、天井パネルは、軽量鉄骨天井下地に石膏ボードを張り、目地テープでシールして気密化し、また、これにグラスウールボードを貼合させて断熱性を高めたこと、第４に、熱交換パネルは、天井パネルに熱交換用仕切板としての折板を配設し、この折板と天井パネルとで囲まれた部分を第１の空気流路とし、その端部に入口チャンバー、出口チャンバーを形成すること、第５に、天井パネルは天井下地を介して屋根部より吊りボルトで吊り支承し、この天井パネルの端部はコンクリート躯体に摺動自在に接合させることを要旨とするものである。
【００１９】
第６に、熱交換パネルの出口チャンバーは循環軸流ファンおよびダンパーを有するチャンバーに接続すること、第７に、小屋裏スペースに設備設置空間を確保し、ここに第２の空気流路からの小屋裏排気ダクトと室内に開口する室内空気強制排気口からのダクトを接続する切替ダンパーボックスおよび小屋裏排気ファンを設けることを要旨とするものである。
【００２０】
揮発性有機物質の貯蔵または取扱い作業用建物の温度・湿度の制御方法としては、建屋を断熱・気密性を有する天井パネルで外気に通じる小屋裏スペースと室内側とに区画し、該天井パネルに熱交換パネルを一体的に組み込み、室内側からの第１の空気流路と小屋裏スペースを介する外気側からの第２の空気流路とを熱交換させることを要旨とするものである。
【００２１】
請求項１および請求項８記載の本発明によれば、揮発性有機物質の貯蔵または取扱い作業用建物の室内側は断熱・気密化のために断熱・気密性を有する天井パネルで外気に通じる小屋裏スペースと遮断した。また、天井パネルに一体的に組み込む熱交換パネルで必要に応じて室内側からの第１の空気流路と外気側からの第２の空気流路との熱交換を行うようにして、冬場の日中のように、室内側の温度が低い反面、外気および第１の空気流路内が太陽の輻射熱によって比較的温かい場合に、その熱を利用して室内側の温度を上昇させることや、夏場の夜間のように、室内側の温度が高く、外気および第１の空気流路内の温度が放射冷却によって室内温度以下である場合に夜間の冷気で室内の温度を低減させるようにすることで年間を通じてなるべく一定の温度を保つことが可能となる。しかも、屋根部は既存のもの、もしくは通常構造のものでよく、何らの特別な加工も必要としないので施工も容易であり、既存の建屋を改修して本発明の揮発性有機物質の貯蔵または取扱い作業用建物とすることも比較的簡単かつ安価に実現できる。
【００２２】
このように屋根そのものが生き物の皮膚のように、揮発性有機物質の貯蔵または取扱い作業用建物の温熱環境を調節するシステムの一部になり、それぞれの部分が多面的に機能し、非常にシンプルなシステムで、制御系も大幅に単純化し、ダクト、ダンパーも従来に比べて少なくすることができる。その結果、工事費も低減し、メンテナンスも少なく、コストパフォーマンスも改善される。
【００２３】
請求項２記載の本発明によれば、小屋裏スペースは軒先廻りの換気口としてし軒先外気取入口を有することでこの部分により全面オープンとすることができ、できる限り外気空間に近づけることができる。また、天井パネル端はその内側で鉄筋コンクリート壁に摺動自在に接合することで、屋根部と躯体部の変位があっても室内の断熱・気密化を保持することが可能である。
【００２４】
請求項３記載の本発明によれば、前記作用に加えて、天井パネルは、断熱・気密性を有するものとするのに、軽量かつ簡易構造で実現でき、このような天井パネルで天井面を形成するのに、屋根部分を従来よりも剛な構造とする必要もない。なお、石膏ボードは耐水性のあるシージングボードで、鉄骨、ブレージングなどの貫通部はコーキングをするが、グラスウールボードの場合と違って信頼性の高い施工が可能である。また、これにグラスウールボードを貼合させて断熱性を高めるが、その場合もグラスウールボードのみの場合と比べて安価なものですむ。
【００２５】
請求項４記載の本発明によれば、天井パネルに一体的に組み込む熱交換パネルとして、この天井パネルを利用し、カラー鉄板の折板を加えるだけででき、現場で簡単に組み立てることができるものである。
【００２６】
請求項５記載の本発明によれば、前記請求項１における天井パネルで外気に通じる小屋裏スペースと遮断して揮発性有機物質の貯蔵または取扱い作業用建物の室内側の断熱・気密化を確保することの確実性を期するもので、屋根部が主として支柱により支持され、コンクリート躯体である壁と縁が切れているとしても、双方の変位に対応して、天井パネルの端部のコンクリート躯体への接合を保つことができる。
【００２７】
請求項６記載の本発明によれば、熱交換パネルの出口チャンバーは循環軸流ファンおよびダンパーを有するチャンバーに連結し、この循環軸流ファンで室内上下の循環をダクトなしに行うことができ、室内設備が簡素化し、かつ、室内を広く使用することができる。
【００２８】
請求項７記載の本発明によれば、切替ダンパーで切り替え、小屋裏排気ファンによる室内緊急時の排気も考慮したものである。
【００２９】
請求項８記載の本発明によれば、請求項１記載の本発明のシステムによって揮発性有機物質の貯蔵または取扱い作業用建物内の温度および湿度の手歩部環境を調節、制御する方法を提供することができる。
【００３０】
【発明の実施の形態】
以下、貯蔵庫を例に図面により本発明の実施の形態を詳細に説明する。図１は本発明の貯蔵庫の縦断側面図（妻側断面）、図２は同上横断平面図で、前記従来例と同じく貯蔵庫１の建屋は平面的に見て略長方形で、長手方向に比較的長い形態であり、長手方向に延びた平行な前後の壁11，12と、両端の壁16，17と、屋根部５からなる。図中18は搬出入および出入口、20は土中梁で、床はなく土間21が露出する形態となっている。
【００３１】
屋根部５はその殆どの部分が前方から後方へ向けて低くなる屋根勾配を有し、前方領域は一段高くなっており、この部分は逆に前方に向けて若干下方傾斜させた。
【００３２】
本発明はこのような建屋の内部を断熱・気密性を有する天井パネル22で屋根部５の直下になる小屋裏スペース23と庫内側とに区画した。なお、小屋裏スペース23は前記屋根部５で一段高くなった前方領域の内側では設備設置空間23ａとして利用する。
【００３３】
図３〜図６および図10に示すようにこの天井パネル22は、軽量鉄骨下地の上に石膏ボード22ａを張り、目地テープでシールして気密化し、また、石膏ボード22ａにグラスウールボード22ｂを貼合わせて形成する。
【００３４】
前記小屋裏スペース23は軒先外気取入口24を介して屋外と連通させた。かかる軒先外気取入口24には鳥避けとしてエクスバンドメタルによる金属製網板25を配設し、これは鉄骨屋根側に固定し、壁躯体側にはスライド自在に接合させる。
【００３５】
天井パネル22端にはポリエチレンスポンジのシール63を設け、このシール63を前記軒先外気取入口24のその内側で壁11，12，16，17の上端に摺動自在に接合することで、屋根部５と壁11，12，16，17との変位が生じても接合が継続して庫内の断熱性、気密性が確保できるように対応した。
【００３６】
前記天井パネル22に、庫内側からの第１の空気流路31と小屋裏スペース23に連通して外気からの第２の空気流路32とが熱交換されるべく仕切形成された熱交換パネル33を一体的に組込んだ。一般の天井部を構成する天井パネル22と熱交換パネル33との割合は適宜選択でき、天井すべてを熱交換パネル33で形成するようにしてもよいが、鉄骨その他の天井貫通部材はなるべく一般の天井部に配設するようにして、本実施形態では天井面積の約１／５〜１／６程度を熱交換パネル33が占めるようにした。
【００３７】
図10〜図13に示すようにこの熱交換パネル33は前記天井パネル22を構成部品の一部として利用して形成するもので、天井パネル22上に熱交換用仕切板としての波形の折板34を固設し、この折板34と天井パネル22とで囲まれた部分を前記第１の空気流路31とし、その端部に入口チャンバー35、出口チャンバー36を形成する。折板34は厚さ0.5 ｍｍ程度のステンレス鋼の黒色のカラー板等からなる。
【００３８】
熱交換パネル33以外の一般の天井部分を構成する天井パネル22の端部に対して熱交換パネル33を構成する天井パネル22の端部を下側に重合し、熱交換パネル33の折板34の側端は一部欠如して一般の天井部分を構成する天井パネル22の下に接合する。その際、一般の天井部分の天井パネル22の石膏ボード22ａの端は折板34に当接し、コーキングして一般の天井部分と熱交換パネル33との気密化を図る。
【００３９】
また、入口チャンバー35、出口チャンバー36はカラー鉄板等の鉄板64およびグラスウールボード22ｂにより構成したチャンネル状ダクトであり、折板34の前後端には端部エアシールとしてビス止めの上、面戸周囲コーキング37を施した。
【００４０】
天井の下地の構造として吊りボルト38で野縁40に交差的に結合する野縁受け39を吊り支承し、野縁40に熱交換パネル33以外の一般の天井部分を構成する天井パネル22を取付け、熱交換パネル33では前記野縁40の代わりに折板34を野縁受け39に結合してこの部分も吊りボルト38で吊り支承する。
【００４１】
前記熱交換パネル33の折板34の外側、すなわち、天井パネル22と折板34とで囲まれた以外の部分は小屋裏スペース23において前記第２の空気流路32が形成される部分である。
【００４２】
前記入口チャンバー35は貯蔵庫１の庫内側に開口するものであり、ここに図14〜図16に示すような重力式ダンパー41を設けた。この重力式ダンパー41は熱交換パネル33の庫内空気吸込み口に取付けるものとして、吸引圧で開き、重力により閉じるもので、片側を回転軸41ａとして軸支するステンレス等金属製のダンパー板41ｂである。
【００４３】
ダンパー板41ｂは垂直線を水平面に対して鉛直になるように仮付けし、ダンパー開き圧微調整ねじ43によって、吸込み口側が少し下がるようにする。また、ダンパー板41ｂの開き角度はこれに先端が当接する角度微調整ねじ42の突出長さで調整する。
【００４４】
前記出口チャンバー36はグラスウールによる円筒形のつなぎダクト44に連結し、このつなぎダクト44は循環軸流ファン45および誘引調整ダンパー46を有するチャンバー47に連結する。該チャンバー47は四角な箱体であり、複数（図示では４個）の熱交換パネル33からのつなぎダクト44はこのチャンバー47の側面に接続し、この接続開口部分にモーター46ａで回転駆動する前記誘引調整ダンパー46がこれを閉塞可能なように配設される。
【００４５】
そして循環軸流ファン45はノズル状の吹出し口を有するもので、前記チャンバー47の底板部分にこれを貫通するように設けられ、その吹き出し方向を垂直下方の庫内の土間21の方に向くようにして庫内上下の空気循環を行うものであり、その直下の土中梁20の上面にはコンパネによる板体62を張って、循環軸流ファン45から流下する流れがこの板体62にぶつかり横に広がるようにした。
【００４６】
前記小屋裏スペース23において前記第２の空気流路32に連通する開口48に接続する排気ダクト49は分岐チャンバー50を介して小屋裏排気ダクト51に接続し、この小屋裏排気ダクト51は前記屋根部５の前方領域で一段高くなっている部分の内部である設備設置空間23ａへ天井パネル22を貫通して入り、切替えダンパーボックス52および強制排気および小屋裏排気ファン53を介して屋外に開口する。この開口にはステンレス製のフード54を設ける。
【００４７】
切替ダンパーボックス52には庫内に設けた庫内空気強制排気口55からのダクト56も接続し、その内部には小屋裏排気ダクト51とダクト56とを切替える切替ダンパー57（図18参照）を内蔵する。
【００４８】
設備設置空間23ａの直下の天井パネル22には点検口60を設け、キャットウォーク58に続く床からタラップ59をこの点検口60まで立ち上げる。また、図６に示すように、屋根部５で設備設置空間23ａの前記フード54による開口以外に、この設備設置空間23ａと外部とを連通する自然換気口61を形成する。
【００４９】
次に使用法および動作について説明する。貯蔵庫１内の温熱環境・空気環境は外界の気象条件に影響されることは勿論であるが、気象条件には気温、湿度、日射量、夜間放射量、風向、風速、地中温度、気圧等がある。これらの気象条件のうち、庫内の温熱環境に強く影響する要素としては、外気温度、湿度、日射量、夜間放射量、地中温度である。
【００５０】
これらの気象要素のうち、本発明の実施形態では、主として外気温度及び日射量および夜間放射量を重視して、貯蔵庫１内の温熱環境・空気環境を制御する。このため、庫外の温度条件や庫内の温度状態、湿度状態を検出している。即ち、図には示していないが、貯蔵庫１の建屋の近辺に百葉箱を設置し、温度センサ、湿度センサ等が設けられる。また、熱交換パネルの付近にも温度センサを設けると共に、庫内の収容スペース10の上段及び下段の温度をそれぞれ検出するための温度センサが配置されている。なお、これらのセンサ等はパソコンに接続されてコンピュータ制御となるが、昼夜の判別はパソコンのプログラムによりタイマーをもって行うことが可能である。
【００５１】
本発明の実施形態では、前記のような貯蔵庫内外の気象条件、温度条件、湿度条件等に応じて、循環軸流ファン45と小屋裏排気ファン53の駆動・停止、及び切替ダンパー57の制御を行って、貯蔵庫内の環境条件を最適に保とうとするものである。即ち、貯蔵庫内をある設定範囲内の温度に保ち、庫内温度の均一化を図る。
【００５２】
本発明の実施形態では、各センサにより温度等を検出して、図示しないシーケンサで運転モードの選択を行い、そのモードに合わせてファンの駆動・停止及びダンパーの開閉の制御を行う。
【００５３】
夏モードＩ（循環）は、夏場の日中のように、庫内平均空気温度≦小屋裏空気温度の場合で、図18に示すように誘引圧調整ダンパー46が閉じ、天井の熱交換パネル33が切り離されて循環軸流ファン45の駆動により庫内の上層空気を下に送る。また、小屋裏排気ファン53により、小屋裏スペース23に外気を導入し、そのまま庫外に排気する。
【００５４】
夏モードII（冷却）は、夏場の夜間のように、庫内平均空気温度＞小屋裏空気温度の場合で、図19に示すように誘引圧調整ダンパー46を開く。循環軸流ファン45の駆動で入口チャンバー35より熱交換パネル33に吸引した庫内空気は第１の空気流路31を通り、その際、熱交換パネル33の第２の空気流路32を通る小屋裏スペース23に導入された外気と熱交換され、冷却される。この天井の熱交換パネル33よりの冷却空気を、循環軸流ファン45により下に送る。なお、前記小屋裏排気ファン53により小屋裏スペース23に導入される外気は熱交換パネル33の第２の空気流路32を通過後そのまま庫外に排気される。
【００５５】
このようにいずれのモードの場合も小屋裏排気ファン53により小屋裏スペース23に外気を導入しそのまま庫外に排気するのは、次の理由による。
【００５６】
小屋裏スペース23は天井面の断熱が向上するため、熱交換パネル33が閉ざされ（切離され）ているときには、より強く外界の影響を受けることになる。その時、小屋裏スペース23は換気によって熱が排出される方が庫内への影響が少なくなる。
【００５７】
熱交換が行われている間は、小屋裏スペース23の空間を介して外界との熱流が起こる。その時にも小屋裏スペース23には気流があって、熱交換パネル33の上面に外界の熱を受けた新しい空気が補給されていた方が熱交換効率が高まるからである。特に、昼から夜の境目（熱交換パネル33が開く直前）では、小屋裏スペース23の鉄骨の熱容量が蓄えている熱（または冷熱）を早く出した方が早く目的のモードがスタートするからである。
【００５８】
夏モードと冬モードの切り替えは、自動切り替えと手動切り替えとがあるが、自動切り替えとして、庫内平均空気温度が設定温度を下回ったときに夏モードから冬モードへ、庫内平均空気温度が設定温度を越えたときに冬モードから夏モードへと切り替える。
【００５９】
また、手動切り替えは、夏冬切り替えを手動化し、随時切り替えるもので、自動を選択すればそれに戻る。
【００６０】
なお、庫内平均空気温度とは、ブロックの平面的な中央部の上段（Ｚ１１）、中段（Ｚ６）、下段（Ｚ２）レベルの空気温度の平均値とする。
【００６１】
図20に示すように冬モードＩ（循環）は、冬場の夜間のように、庫内平均空気温度≧小屋裏空気温度の場合で、誘引圧調整ダンパー46を閉じ、天井の熱交換パネル33が切り離されて、循環軸流ファン45により庫内の上層空気を下に送る（温度条件が異なるだけで、夏モードＩと同じ）。この場合、小屋裏排気ファン53は停止するが、切替ダンパー57は小屋裏スペース23の排気側に開いたままとする。（小屋裏と庫内はしゃ断する。）
【００６２】
図21に示すように冬モードII（加温）は、冬場の日中のように、庫内平均空気温度＜小屋裏空気温度の場合で、誘引圧調整ダンパー46を開き、天井の熱交換パネル33よりの加温空気を、循環軸流ファン45により下に送る。小屋裏排気ファン53により、小屋裏スペース23に外気を導入、庫外に排気する。（温度条件が異なるだけで、夏モードIIと同じ）。
【００６３】
なお、天井の熱交換パネル33の直上の屋根部５を形成する屋根板をガラス等の透明板を用いて形成しておけば、冬場の日中に小屋裏スペース23内の空気温度を直接太陽熱で熱交換パネル33を加温することができ、冬期の集熱効率をより高めることも可能である。
【００６４】
貯蔵庫１で土間21は土が露出し、この土を巨大な蓄熱体として天井の熱交換パネル33よりの加温空気の熱をかかる蓄熱体に保存して有効に活用することができる。冷却の場合も同様である。
【００６５】
ところで、庫内において揮発性有機物質であるアルコール等が漏洩した場合に、安全性を図る上で、庫内の空気を緊急に強制排気する必要がある。かかる強制排気モードは図22に示すように、手動割り込みによる庫内平均空気の強制排出で、切替ダンパー57が庫内空気の排出側による排気を行う。したがって、庫内のアルコール等の揮発性有機物質の濃度が異常に高くなるのが事前に防止される。その他の部分は、それぞれのモードの状態を継続する。強制排気モードを解除すると、切替ダンパー57は小屋裏スペース23の空気の排気側に戻り、通常モードに戻る。
【００６６】
このようにして本発明の貯蔵庫は、季節による庫内温度の変化が少なくなり、庫内における結露の発生が抑制される。また、樽の中の酒類は良好な環境の下で熟成されることになり、その品質の向上につながる。
【００６７】
前記実施形態は本発明を貯蔵庫として実施する場合について詳細に説明したが、本発明は上記の実施例に限定されるものではなく、本発明の精神を逸脱しない範囲内において種々の形態、変形、修正等が可能である。例えば、酒類のみならず、食酢、醤油、化学物質、薬品、印刷用インク等で揮発性有機物を発散する種々の液体の貯蔵または取扱い作業用建物も同様である。
【００６８】
さらに、米等の穀物や煙草の葉等の農産物、他の工業製品等の物質を保存する場合において、好適に使用することができる。
【００６９】
【発明の効果】
以上述べたように本発明の揮発性有機物質の貯蔵または取扱い作業用建物は、室内の空気流通を適宜調整するとともに、室内の温度を適正に保ち、貯蔵または取扱う物質の保存性を良好に維持するために、屋根部を特別に加工することなく、非常にシンプルなシステムで、制御系も大幅に単純化し、ダクト、ダンパーも従来に比べて少なくすることができ、その結果、工事費も低減し、メンテナンスも少なく、コストパフォーマンスも改善できるものである。
【図面の簡単な説明】
【図１】本発明の１実施形態の貯蔵庫を示す縦断側面図（妻側断面）である。
【図２】本発明の１実施形態の貯蔵庫を示す横断平面図である。
【図３】図１における１通り、Ｚ９〜Ｚ12および屋根部分の縦断側面図である。
【図４】図１、図２における３通り、Ｚ９〜Ｚ12および屋根部分の縦断側面図である。
【図５】図２におけるＡ、Ｓ通り、Ｚ９〜Ｚ12および屋根部分の縦断側面図である。
【図６】図１、図２における５〜７通り、Ｚ９〜Ｚ12および屋根部分の縦断側面図である。
【図７】屋根部の設備設置空間の外周部の縦断側面図である。
【図８】循環軸流ファンおよび誘引調整ダンパーを有するチャンバー部分の縦断側面図である。
【図９】循環軸流ファンおよび誘引調整ダンパーを有するチャンバー部分の縦断正面図である。
【図１０】熱交換パネル部分の斜視図である。
【図１１】熱交換パネル部分の平面図である。
【図１２】熱交換パネル部分の縦断側面図である。
【図１３】熱交換パネル部分の縦断正面図である。
【図１４】入口チャンバーに設ける重力式ダンパーの横断平面図である。
【図１５】入口チャンバーに設ける重力式ダンパーの縦断側面図である。
【図１６】入口チャンバーに設ける重力式ダンパーの正面図である。
【図１７】重力式ダンパーのダンパー板の斜視図である。
【図１８】運転モードにおいて、夏モードＩ（循環）の説明図である。
【図１９】運転モードにおいて、夏モードII（冷却）の説明図である。
【図２０】運転モードにおいて、冬モードＩ（循環）の説明図である。
【図２１】運転モードにおいて、冬モードII（加温）の説明図である。
【図２２】運転モードにおいて、強制排気モードの説明図である。
【図２３】従来例を示す説明図である。
【符号の説明】
１…貯蔵庫                  ２…気密断熱天井
３…空気流路
４…空気取入口              ５…屋根部
６…ダクトスペース          ７…放射冷却板
８，９…ダクト              ８ａ，９ａ…空気放出・吸入口
10…収容スペース            11，12…壁
13…ダクト                  13ａ…吸入口
14…空気放出口              15…空気取入口
16,17 …壁                  18…搬出入および出入口
19…スタッカークレーン室    20…土中梁
21…土間                    22…天井パネル
22ａ…石膏ボード            22ｂ…グラスウールボード
23…小屋裏スペース          23ａ…設備設置空間
24…軒先外気取入口          25…金属製網板
27…支柱
28…梁                      29…通路
30…筋交い                  31…第１の空気流路
32…第２の空気流路          33…熱交換パネル
34…折板                    35…入口チャンバー
36…出口チャンバー          37…面戸周囲コーキング
38…吊りボルト              39…野縁受け
40…野縁                    41…重力式ダンパー
41ａ…回転軸                41ｂ…ダンパー板
42…角度微調整ねじ          43…ダンパー開き圧微調整ねじ
44…つなぎダクト            45…循環軸流ファン
46…誘引圧調整ダンパー      46ａ…モーター
47…チャンバー              48…開口
49…排気ダクト              50…分岐チャンバー
51…小屋裏排気ダクト        52…切替ダンパーボックス
53…小屋裏排気ファン        54…フード
55…庫内空気強制排気口      56…ダクト
57…切替ダンパー            58…キャットウォーク
59…タラップ                60…点検口
61…自然換気口              62…板体
63…シール                  64…鉄板
65…貯蔵または取扱い作業所
【図１】
2004196522.tif 000003
【図２】
2004196522.tif 000004
【図３】
2004196522.tif 000005
【図４】
2004196522.tif 000006
【図５】
2004196522.tif 000007
【図６】
2004196522.tif 000008
【図７】
2004196522.tif 000009
【図８】
2004196522.tif 000010
【図９】
2004196522.tif 000011
【図１０】
2004196522.tif 000012
【図１１】
2004196522.tif 000013
【図１２】
2004196522.tif 000014
【図１３】
2004196522.tif 000015
【図１４】
2004196522.tif 000016
【図１５】
2004196522.tif 000017
【図１６】
2004196522.tif 000018
【図１７】
2004196522.tif 000019
【図１８】
2004196522.tif 000020
【図１９】
2004196522.tif 000021
【図２０】
2004196522.tif 000022
【図２１】
2004196522.tif 000023
【図２２】
2004196522.tif 000024
【図２３】
2004196522.tif 000025